(57)【要約】【課題】外部記憶媒体に保存される画像データの再出力を効率的に行う画像処理装置を提供する。【解決手段】複合機９０は、持ち運び可能なＵＳＢメモリ５１を着脱できるＵＳＢコネクタ５２と、画像データを送信するためのＦＡＸモデム３３と、ファイル書込部３７と、ファイル読込部３８と、を備える。ファイル読込部３８は、ＵＳＢメモリ５１からデータを読込可能に構成されている。複合機９０は、ＦＡＸモデム３３によってＦＡＸ送信を行う際に、設定された送信条件をＵＳＢメモリ５１に記憶させ、また、前記画像データを格納した画像格納ファイルをＵＳＢメモリ５１に記憶させる。複合機９０は、ＵＳＢメモリ５１に記憶された送信条件及び前記画像格納ファイルをファイル読込部３８によって読み込み、画像格納ファイルから取り出した画像データを、前記送信条件に従ってＦＡＸモデム３３により再送信できるように構成されている。【選択図】図１
2009060234.tif 000002
【特許請求の範囲】
【請求項１】
持ち運び可能な外部記憶媒体を着脱できる装着部と、
画像情報を出力するための出力部と、
前記出力部によって前記画像情報を出力する際に、設定された出力条件を前記外部記憶媒体に記憶させるとともに、前記画像情報を格納した画像格納ファイルを前記外部記憶媒体に記憶させる書込部と、
前記外部記憶媒体からデータを読込可能な読込部と、
を備え、
前記装着部に装着された前記外部記憶媒体に記憶された前記出力条件及び前記画像格納ファイルを前記読込部によって読み込むとともに、
前記画像格納ファイルから取り出した画像情報を、前記出力条件に従って前記出力部により出力することができることを特徴とする画像処理装置。
【請求項２】
請求項１に記載の画像処理装置であって、
前記画像格納ファイルから取り出した前記画像情報に加えて、追加画像情報も前記出力条件に従って前記出力部により出力できることを特徴とする画像処理装置。
【請求項３】
請求項１又は２に記載の画像読取装置であって、
前記出力条件を設定するための操作部を備え、
前記読込部によって読み込まれた前記出力条件を前記操作部によって変更可能であり、
前記出力部は、変更された出力条件に従って前記画像情報を出力することができることを特徴とする画像処理装置。
【請求項４】
請求項３に記載の画像処理装置であって、
変更した前記出力条件を前記外部記憶媒体に記憶可能であることを特徴とする画像処理装置。
【請求項５】
請求項１から４までの何れか一項に記載の画像処理装置としてのファクシミリ装置であって、
前記出力部はファクシミリ送信部であり、
前記出力条件は送信条件であり、
前記画像情報を前記ファクシミリ送信部がファクシミリ送信するとともに、前記画像情報と、前記送信条件と、を前記外部記憶媒体に記憶することができることを特徴とするファクシミリ装置。
【請求項６】
請求項１から４までの何れか一項に記載の画像処理装置としてのコピー装置であって、
前記出力部は画像形成部であり、
前記出力条件はコピー条件であり、
前記画像情報を前記画像形成部がプリントするとともに、前記画像情報と、前記コピー条件と、を前記外部記憶媒体に記憶することができることを特徴とするコピー装置。
【発明の詳細な説明】
【技術分野】
【０００１】
本発明は画像処理装置に関するものであり、詳細には外部記憶媒体への画像データの記憶に関するものである。
【背景技術】
【０００２】
従来から、ＵＳＢメモリ、メモリカード等の外部記憶媒体を直接接続することができる構成の画像処理装置（例えば、ファクシミリ装置及びコピー装置等）が知られている。外部記憶媒体が接続できる画像処理装置としては、例えば特許文献１のようなものがある。
【０００３】
この特許文献１は、原稿画像を所定の画像データに変換して通信回線を通して伝送可能な通信装置において、以下の構成を開示する。即ち、この通信装置は、前記原稿画像を読み取り所定の画像データに変換するための原稿読取手段と、前記画像データを記憶するための外部記憶媒体を着脱可能に装着するための外部記憶媒体装着手段と、を備える。また、前記通信装置は、前記外部記憶媒体装着手段に装着された外部記憶媒体のフォルダ名を指定するためのフォルダ名指定手段を備える。更に、前記通信装置は、前記フォルダ名指定手段により指定されたフォルダ名からなるフォルダに前記画像データを記憶するための制御手段を備えている。
【特許文献１】特開２００３−３１９１０４号公報
【発明の開示】
【発明が解決しようとする課題】
【０００４】
特許文献１の構成では、持ち運びが可能な外部記憶媒体に画像データを記憶しておき、これを装置に接続することによって、当該画像データのファクシミリ送信及び印刷を容易に行うことができる。また、出張等で会社から離れているときに、急な資料の追加、又は、通信障害及び送信文書の紛失等によって資料の再送を依頼される等、画像データの出力を必要とする場合がある。このような場合でも、画像データを記憶させておいた外部記憶媒体を携帯しておけば、出張先でファクシミリ再送信及び再印刷を行うことができる。
【０００５】
しかし、ファクシミリ送信においては、相手先のファクシミリ回線番号又はメールアドレスを入力する必要があり、更に、親展送信等の送信条件の設定が必要な場合もある。また、コピーによって資料を作成する場合、画像データが同じでも、コピー倍率、及び、複数のページを１ページに集約してコピーするような設定等、資料及び書類の用途に応じたコピー条件の設定が行われることがある。
【０００６】
この点、特許文献１の構成は、外部記憶媒体に画像データを記憶させることができるものの、上記のような出力条件の設定を記憶させることはできない。従って、ファクシミリの再送信及び資料の追加コピーを行う場合において、同じ条件で出力されるように条件の設定を再度行う必要があった。このような条件の設定を送信及びコピーごとに行うのは非常に手間な作業であり、作業の効率化の観点から改善の余地があった。また、書類及び資料等の追加は急を要する場合等も多く、ファクシミリ再送信及び再コピーを短時間で行える構成が望まれていた。
【課題を解決するための手段及び効果】
【０００７】
本発明の解決しようとする課題は以上の如くであり、次にこの課題を解決するための手段とその効果を説明する。
【０００８】
本発明の第１の観点によれば、以下の構成の画像処理装置が提供される。即ち、この画像処理装置は、持ち運び可能な外部記憶媒体を着脱できる装着部と、画像情報を出力するための出力部と、を備える。また、画像処理装置は、前記出力部によって前記画像情報を出力する際に、設定された出力条件を前記外部記憶媒体に記憶させるとともに、前記画像情報を格納した画像格納ファイルを前記外部記憶媒体に記憶させる書込部を備える。更に、画像処理装置は、前記外部記憶媒体からデータを読込可能な読込部を備える。そして、画像処理装置は、前記装着部に装着された前記外部記憶媒体に記憶された前記出力条件及び前記画像格納ファイルを前記読込部によって読み込み、前記画像格納ファイルから取り出した画像情報を、前記出力条件に従って前記出力部により出力できるように構成されている。
【０００９】
これによれば、ユーザは、出力条件と、画像情報を格納した画像格納ファイルと、を外部記憶媒体に容易に記憶することができる。従って、画像情報を出力した画像処理装置が近くになくても、出力時に接続されていた外部記憶媒体を他の端末に接続することで、画像情報を画像格納ファイルの内容により確認することができる。また、画像情報を出力した画像処理装置でなくても、外部記憶媒体を当該画像処理装置に接続すれば、外部記憶媒体に記憶させた出力条件と同じ出力条件で画像情報を簡単に出力することができる。
【００１０】
前記の画像処理装置においては、前記画像格納ファイルから取り出した前記画像情報に加えて、追加画像情報も前記出力条件に従って前記出力部により出力できることが好ましい。
【００１１】
これによれば、外部記憶媒体に記憶された画像ファイルから画像情報を読み出して出力する際に、新たに画像情報を追加することができる。また、追加画像情報にも同様の出力条件が適用されるので、出力条件の設定の手間が省けて効率的である。
【００１２】
前記の画像処理装置においては、以下の構成であることが好ましい。即ち、この画像処理装置は、前記出力条件を設定するための操作部を備える。そして、前記画像処理装置は、前記読込部によって読み込まれた前記出力条件を前記操作部によって変更可能に構成しており、前記出力部は、この変更後の出力条件に従って前記画像情報を出力することができる。
【００１３】
これによれば、出力条件を柔軟に変更して画像情報を出力することができる。また、前記外部記憶媒体に記憶された出力条件から変更する形で出力条件を設定できるので、ゼロから設定するよりも効率的である。
【００１４】
前記の画像処理装置においては、変更した前記出力条件を前記外部記憶媒体に記憶可能であることが好ましい。
【００１５】
これによれば、変更後の出力条件を他の画像処理装置で読み込み、新しい出力条件に従って画像情報を容易に出力することができる。
【００１６】
本発明の第２の観点によれば、前記の画像処理装置としてのファクシミリ装置における以下の構成が提供される。即ち、前記出力部はファクシミリ送信部であり、前記出力条件は送信条件である。そして、このファクシミリ装置は、前記画像情報を前記ファクシミリ送信部がファクシミリ送信するとともに、前記画像情報と、前記送信条件と、を前記外部記憶媒体に記憶可能に構成されている。
【００１７】
これによれば、ファクシミリ送信する際に、外部記憶媒体に送信条件と画像情報とを記憶することができる。従って、持ち運び可能な外部記憶媒体を使用することにより、実際に送信したファクシミリ装置がない場所でも送信画像及び送信条件を確認することができる。
【００１８】
本発明の第３の観点によれば、前記の画像処理装置としてのコピー装置における以下の構成が提供される。即ち、前記出力部は画像形成部であり、前記出力条件はコピー条件である。そして、このコピー装置は、前記画像情報を前記画像形成部がプリントするとともに、前記画像情報と、前記コピー条件と、を前記外部記憶媒体に記憶可能に構成されている。
【００１９】
これによれば、プリントする際に、外部記憶媒体にコピー条件と画像情報とを記憶することができる。従って、持ち運び可能な外部記憶媒体を使用することにより、実際にコピーを行ったコピー装置がない場所でもコピー画像及びコピー条件を確認することができる。
【発明を実施するための最良の形態】
【００２０】
以下、本発明の好適な実施形態について図面を参照しながら説明する。図１は本発明の一実施形態に係るコピーファクシミリ複合機のブロック図である。
【００２１】
本実施形態に係る画像形成装置としてのコピーファクシミリ複合機９０は、ファクシミリ機能、コピー機能及びスキャナ機能を備える多機能周辺装置（Ｍｕｌｔｉ−Ｆｕｎｃｔｉｏｎ  Ｐｅｒｉｐｈｅｒａｌ、ＭＦＰ）として構成されている。図１に示すように、この複合機９０は、原稿を読み取って画像データを得る画像読取部２１と、画像データを用紙等の記録媒体に記録する画像形成部２２と、を備えている。
【００２２】
複合機９０は図略の操作パネルを備え、この操作パネルに、操作の指示を伝達するためのテンキー、方向キー、スタートボタン、及びキャンセルボタン等の各種指定手段を有する操作部２４を備えている。
【００２３】
複合機９０は、２つのモード、即ちファクシミリモード及びコピーモードを切換可能に構成されている。ファクシミリモードは、送信先のファクシミリ回線番号又はメールアドレス等を指定してファクシミリ送信を行うモードである。コピーモードは、コピー部数等を指定してコピーを行うモードである。このモードの切換は、ユーザが前記操作部２４の前記指定手段を操作することで行われる。
【００２４】
前記操作部２４は、ユーザが様々な設定を複合機９０に対して行うために用いられる。例えば、複合機９０を用いてファクシミリ送信を行う場合、ユーザは前記操作部２４を操作することで、複合機９０をファクシミリモードに切り換えるとともに送信条件を設定する。この送信条件は、送信先と送信モードを含んで構成されている。
【００２５】
送信先は、画像データを送信する相手先の情報であり、例えばファクシミリ回線番号又は電子メールアドレス等である。
【００２６】
送信モードは、画質の条件を示す送信画質条件、送信レポート及び親展送信等の各種の設定である。送信画質条件とは、送信される画像データの解像度の条件であり、通常モード、高画質モード等がある。また、送信レポートは、通信エラー等の情報を送信元の複合機９０で用紙に出力するか否かの設定である。親展送信は、いわゆる親展送信（受信側のファクシミリ装置でパスワード或いは暗証番号を入力しなければ送信画像データが出力されない制限を伴った送信）を行うか否かの設定である。
【００２７】
また、複合機９０を用いてコピーを行う場合、ユーザは前記操作部２４を操作して複合機９０をコピーモードにし、その上でコピー条件を設定する。設定できるコピー条件は複合機９０の機能によって様々であるが、例えば、用紙への印刷画質、印刷する用紙サイズの選択、拡大／縮小印刷、及び、１枚の用紙に複数ページ分を集約して印刷する設定（ｎページ印刷）等が考えられる。
【００２８】
操作部２４の近傍には、表示部としてのディスプレイ２３が配置されている。このディスプレイ２３は例えば液晶ディスプレイとして構成されており、操作部２４で入力された操作の内容、及び、今までのファクシミリ送信履歴の一覧等、各種の情報を表示することができる。
【００２９】
また、複合機９０はＵＳＢインターフェース５０を備える。このＵＳＢインターフェース５０は装着部としてのＵＳＢコネクタ５２を備え、このＵＳＢコネクタ５２にＵＳＢメモリ（外部記憶媒体）５１を着脱できるように構成されている。このＵＳＢメモリ５１は、持ち運びが容易なように小型に構成されている。
【００３０】
複合機９０は、このＵＳＢメモリ５１に記憶された画像格納ファイルを読み込んで画像データを取得し、ファクシミリ送信及び用紙へのプリントが可能に構成されている。
【００３１】
次に、複合機の電気的構成について説明する。即ち、この複合機９０は本体制御部１１を備え、この本体制御部１１は、装置全体の制御を行うＣＰＵ等から構成される。
【００３２】
複合機９０は、ＲＯＭ１２と、ＲＡＭ１３と、ハードディスクドライブ（ＨＤＤ）１４と、を備える。ＲＯＭ１２には、装置の各部のハードウェアを制御するためのプログラム等が記憶される。また、ＲＡＭ１３は、ＲＯＭ１２等に記憶されたプログラムをロードして実行できるように構成されている。ＨＤＤ１４は、各種プログラム及びデータ等を記憶可能に構成されている。
【００３３】
また、前記複合機９０は、ファイル書込部（書込部）３７と、ファイル読込部（読込部）３８と、を備えている。ファイル書込部３７は、ファクシミリ送信が行われた場合はその送信条件を、コピーが行われた場合はそのコピー条件を、ＵＳＢメモリ５１にファイルとして書込可能に構成されている。なお、以下の説明では、前記送信条件及びコピー条件をまとめて出力条件と称することがある。
【００３４】
また、前記ファイル書込部３７は、画像読取部２１が読み取った画像データを適宜の形式のファイルに格納し、この画像格納ファイルを前記ＵＳＢメモリ５１に書込可能に構成されている。
【００３５】
前記出力条件をＵＳＢメモリ５１に書き込む際のファイル形式は、様々なものが考えられるが、本実施形態では、各種条件の内容をカンマで区切って記述したテキストファイル（Ｃｏｍｍａ  Ｓｅｐａｒａｔｅｄ  Ｖａｌｕｅｓ、ＣＳＶ）とされている。また、前記画像データをＵＳＢメモリ５１に書き込む際のファイル形式も様々なものが考えられるが、本実施形態では、公知のＴＩＦＦ形式、ＰＤＦ形式、及びＪＰＥＧ形式の中からユーザが選択できるように構成されている。
【００３６】
前記ファイル読込部３８は、ＵＳＢメモリ５１に記憶された前記画像格納ファイルを読込可能に構成されており、また、出力条件を記述した前記ＣＳＶファイルを読込可能に構成されている。複合機９０は、取得した画像データ及び出力条件に従って、ファクシミリ送信及び用紙へのプリントを行うことができる。
【００３７】
また複合機９０は、画像読取部２１で取得した画像データを保存し又は一時記憶するための画像記憶部２５と、当該画像データを管理する画像管理部２６と、を備えている。
【００３８】
複合機９０は、公衆交換電話網（ＰＳＴＮ）３１へ接続するためのネットワークコントロールユニット（ＮＣＵ）３２を備える。また、複合機９０は、音声信号とデータ列とを相互変換する変復調装置としてのＦＡＸモデム３３を備える。更に、複合機９０は、前記ＮＣＵ３２及びＦＡＸモデム３３を制御するファクシミリ制御部３４と、画像データを圧縮／展開するためのコーデック部３５と、を備える。これらにより、電話回線を通じたファクシミリ機能が実現されている。なお、上記コーデック部３５においては、ＭＨ、ＭＲ、ＭＭＲ等の公知の圧縮形式で画像データを圧縮し、あるいは展開するように構成されている。
【００３９】
更に、前記複合機は、ネットワーク４５に接続するためのネットワークアダプタ（ＮＩＣ）４０を備える。そして、上記ハードウェアと、ＨＤＤ１４等に記憶されたソフトウェアとによって、ＴＣＰ−ＩＰ部が構成され、ＴＣＰ／ＩＰプロトコルに従って他の機器との通信を行うことができるようになっている。
【００４０】
また、前記複合機９０においては、前記ハードウェア及びソフトウェアの組合せにより、ＳＭＴＰ部及びＰＯＰ部等が構成されている。ＳＭＴＰ部は、簡易電子メール転送プロトコル（ＳＭＴＰ）を利用して電子メールを送信可能に構成されている。また、ＰＯＰ部は、ＰＯＰ３プロトコルを利用して電子メールを受信可能に構成されている。
【００４１】
本実施形態の複合機９０は、以上に説明した前記ＳＭＴＰ部及びＰＯＰ部等によりインターネットファクシミリ機能を実現している。具体的に説明すると、この複合機９０は、画像読取部２１で読み取られてＭＨ、ＭＲ、ＭＭＲ等の圧縮形式で圧縮された画像データを適宜の画像フォーマット（例えば、ＴＩＦＦ形式）で添付した電子メールを作成する。そして、複合機９０は、ネットワークに設置される図略のＳＭＴＰサーバにＳＭＴＰクライアントとして接続し、当該電子メールを送信することができる。なお電子メールの作成は、例えば、公知のＭＩＭＥ規格及びＢＡＳＥ６４規格に従って行えば良い。
【００４２】
また複合機９０はＰＯＰ３クライアントとして動作し、一定時間毎に図略のＰＯＰサーバに接続するように構成されている。そして、複合機９０宛ての電子メールを受信したときは、当該電子メールから画像データを取り出して展開し、画像形成部２２で印刷できるようになっている。
【００４３】
以上に示すように、本実施形態の複合機９０は、電話回線又はＩＰネットワークを介して、相手先のファクシミリ装置へ画像データを送信可能に構成されている。ＰＳＴＮ３１を介したファクシミリ送信のために複合機９０を使用する場合、前記ＦＡＸモデム３３が出力部として機能する。一方、複合機９０をインターネットファクシミリ送信のために使用する場合、上記ＳＭＴＰ部が出力部として機能する。
【００４４】
更に、本実施形態の複合機９０はネットワークプリンタ機能を備えている。即ち、この複合機９０は、前記ネットワーク４５に接続されているパーソナルコンピュータ６０から文書等の印刷指示を受信したならば、その印刷データを適宜変換した上で本体制御部１１に送信する。これにより本体制御部１１に画像形成部２２を制御させ、文書を印刷することができる。この場合のプリント条件は、パーソナルコンピュータ６０を操作することにより設定することができる。
【００４５】
次に、図２のフローチャートを参照して、原稿をファクシミリ送信する際に画像データ及び送信条件がＵＳＢメモリ５１に保存される制御について説明する。
【００４６】
ＵＳＢメモリ５１への画像保存を伴うファクシミリ送信を希望する場合、ユーザは、ＵＳＢメモリ５１が接続された状態で、操作部２４を操作して複合機９０をファクシミリモードとする。すると、複合機９０は、ファクシミリの送信先の入力を待機する。ユーザは操作部２４を操作して、送信先のファクシミリ回線番号又はメールアドレスを入力する（Ｓ１０１）。
【００４７】
次に、複合機９０は、送信モードの入力を待機する。ユーザは操作部２４を操作して、送信画質条件、送信レポートの設定、及び親展送信等について設定する（Ｓ１０２）。
【００４８】
次に、複合機９０は、画像データを格納する画像格納ファイルの形式を問い合わせる。この問合せに対し、ユーザは操作部２４を操作して、ファイル形式をＴＩＦＦ形式、ＰＤＦ形式、ＪＰＥＧ形式の何れかから選択する（Ｓ１０３）。
【００４９】
ファイル形式の選択が終われば、ユーザは操作部２４のスタートボタンを押す。すると複合機９０はファクシミリ送信処理を開始し、画像読取部２１により原稿内容を読み取る。そして、Ｓ１０２で設定された送信モードに従って、画像データを適宜変換してファクシミリデータを作成する（Ｓ１０４）。そして、Ｓ１０１で設定された送信先へＦＡＸモデム３３を用いてファクシミリ送信する（Ｓ１０５）。
【００５０】
このファクシミリ送信が完了すると、複合機９０は、例えば送信と送信日時から構成される、「送信××年×月×日××時××分××秒」のような名前のディレクトリをＵＳＢメモリ５１に作成する（Ｓ１０６）。なお、以下の説明では、このディレクトリを送信履歴ディレクトリと称する。次に、送信した画像データに基づいて、Ｓ１０３の処理で選択されたファイル形式の画像格納ファイルを作成する。更に、この画像格納ファイルを、前記ファイル書込部３７によって前記ディレクトリに保存する（Ｓ１０７）。
【００５１】
続いて、Ｓ１０１の処理で設定された送信条件を、前記ディレクトリに前記ファイル書込部３７によってＣＳＶファイルとして保存する（Ｓ１０８）。その後、フローを終了する。
【００５２】
以上の処理により、複合機９０にＵＳＢメモリ５１を接続してファクシミリ送信を行うごとに、その送信画像を格納したＴＩＦＦ形式、ＰＤＦ形式等の適宜の画像格納ファイルがＵＳＢメモリ５１に保存されることになる。従って、ユーザは、ファクシミリ送信後にＵＳＢメモリ５１を複合機９０から取り外して例えば図１のパーソナルコンピュータ６０に接続し、ＵＳＢメモリ５１の記憶内容を例えば画像ビューアアプリケーションで閲覧することで、送信画像を確認することができる。また、パーソナルコンピュータ６０で前記ＣＳＶファイルの内容を閲覧することで、送信条件を同様に確認することができる。
【００５３】
なお、図２におけるＳ１０１及びＳ１０２の送信条件の設定が完了した後に、画像データ及び送信条件をＵＳＢメモリ５１に記憶するかどうかをユーザに問い合わせるようにしても良い。そして、当該問合せに対し、ＵＳＢメモリ５１に記憶させない旨をユーザが選択したときは、図２のＳ１０３、Ｓ１０６〜Ｓ１０８の処理をスキップし、単にファクシミリデータの送信のみを行う。
【００５４】
次に、図３及び図４を参照して、上記の処理でＵＳＢメモリ５１に記憶された画像データをファクシミリ再送信する場合の処理を説明する。図３は前述の画像データと送信条件を保存したＵＳＢメモリ５１を接続した状態で再送信をする場合の前半部を示すフローチャートであり、図４は後半部を示すフローチャートである。
【００５５】
ファクシミリ再送信を希望する場合、ユーザは複合機９０にＵＳＢメモリ５１を接続する。なお、ＵＳＢメモリ５１が接続される複合機は、図２のファクシミリ送信を行った複合機９０であっても良いし、それと同一の構成を有する他の複合機であっても良い。そして、ユーザは操作部２４を操作して、複合機９０をファクシミリモードに設定し、ファクシミリ再送信を指示する。
【００５６】
すると、図３及び図４に示すフローが開始され、複合機９０は最初に、ＵＳＢメモリ５１が接続されているかどうかを調べる（図３のＳ１２１）。ＵＳＢメモリ５１が接続されていない場合は、ＵＳＢメモリ５１が接続されるのを待機する。なお、このとき、ＵＳＢメモリ５１の接続を促すメッセージをディスプレイ２３に表示しても良い。
【００５７】
Ｓ１２１の判断でＵＳＢメモリ５１の接続が検出された場合は、ＵＳＢメモリ５１内を対象として、前記送信履歴ディレクトリを検索する（Ｓ１２２）。この検索の結果、送信履歴ディレクトリが見つからなかった場合は、その旨のメッセージをディスプレイ２３に表示し、Ｓ１２１の処理に戻る。
【００５８】
送信履歴ディレクトリが存在していた場合は、複合機９０は、当該送信履歴ディレクトリ内のファイル内容の解析結果に基づいて送信履歴の一覧を作成し、当該一覧をディスプレイ２３に表示する（Ｓ１２３）。ユーザは操作部２４を操作することにより、再送信する画像データを一覧から選択することができる（Ｓ１２４）。
【００５９】
再送信する画像データの選択が完了すると、複合機９０は、選択された画像データに対応する送信条件データとして保存されているＣＳＶファイルをファイル読込部３８によって読み込み、送信条件を取得する（Ｓ１２５）。
【００６０】
次に、複合機９０は、ファクシミリの送信先を当初のものから変更するかどうかを問い合わせる（Ｓ１２６）。ユーザは、この問合せに対し、変更するかしないかを選択することができる。Ｓ１２６の判断で、送信条件を変更する旨の操作がされたと判定されると、複合機９０は、新しい送信先の入力を待機する。ユーザが操作部２４を操作して新しい送信先を入力すると、複合機９０は変更後の送信先を記憶する（Ｓ１２７）。
【００６１】
次に、複合機９０は、ファクシミリの送信モードを当初のものから変更するかどうかを問い合わせる（Ｓ１２８）。Ｓ１２８の判断で、送信モードを変更する旨の操作がされたと判定されると、複合機９０は、当初の送信モードの内容を表示し、変更を待機する。ユーザは、当該送信モードの一部又は全部について修正を行う。変更の確定がユーザによって指示されると、複合機９０は変更後の送信モードを記憶する（Ｓ１２９）。
【００６２】
以上の設定が終わると、複合機９０は、Ｓ１２４の処理で選択された送信履歴（画像データ）に対応する画像格納ファイルをファイル読込部３８によってＵＳＢメモリ５１から読み込み、当該画像格納ファイルから画像データを取り出す（図４のＳ１３０）。
【００６３】
次に、複合機９０は、前回送信した原稿に追加して送信したい原稿があるか否かを問い合わせる（Ｓ１３１）。ユーザは、この問合せに対し、追加の有無を選択することができる。原稿の追加が指示された場合は、複合機９０は、画像読取部２１により追加原稿を読み取り、Ｓ１３０の処理で得られた画像データに追加する（Ｓ１３２）。
【００６４】
続いて、複合機９０は、得られた画像データに基づいて、Ｓ１２５又はＳ１２９の処理で得られた送信モードに従い、ファクシミリデータを作成する（Ｓ１３３）。そして、当該ファクシミリデータを、Ｓ１２５又はＳ１２７の処理で得られた送信先にＦＡＸモデム３３を用いてファクシミリ送信する（Ｓ１３４）。
【００６５】
次に、複合機９０は、ファクシミリ送信時におけるエラー発生の有無を調べる（Ｓ１３５）。通信エラーが発生して送信に失敗していた場合は、Ｓ１３３の処理に戻り、送信処理を繰り返す。なお、Ｓ１２７及びＳ１２９の処理で送信条件が変更されていた場合、この送信リトライ処理においても、複合機９０に記憶されている変更後の送信モード及び送信先が適用される。
【００６６】
Ｓ１３５の判断で、通信エラーが発生せず正常に送信できたと判定された場合は、送信条件（送信先及び送信モード）に変更があったか否かを調べる（Ｓ１３６）。例えばＳ１２７の処理で送信先が変更されていた場合、又はＳ１２９の処理で送信モードが変更されていた場合は、Ｓ１３７の条件再記憶処理を行う。この再記憶処理では、変更後の送信条件を記述したＣＳＶファイルを新しく作成して、古いＣＳＶファイルに上書きする形でＵＳＢメモリ５１に保存する。なお、送信条件に変更がなかった場合は、Ｓ１３７の処理は実行されない。
【００６７】
次に、複合機９０は、ファクシミリの再送信時に原稿の追加があったか否かを調べる（Ｓ１３８）。原稿の追加（Ｓ１３２）があった場合は、Ｓ１３９の画像再記憶処理を行う。この再記憶処理では、原稿追加分を含む画像データに基づいて画像格納ファイルを新しく作成して、古い画像格納ファイルに上書きする形でＵＳＢメモリ５１に保存する。なお、原稿の追加がなかった場合は、Ｓ１３９の処理は実行されない。その後、フローを終了する。
【００６８】
以上のフローにより、ＵＳＢメモリ５１に記憶させたファクシミリ送信原稿の画像を、その送信時と同一の条件で簡単に再送信することができる。
【００６９】
以上に示すように、本実施形態のコピーファクシミリ複合機９０は以下のように構成される。即ち、この複合機９０は、持ち運び可能なＵＳＢメモリ５１を着脱できるＵＳＢコネクタ５２と、画像データを相手先のファクシミリ装置へ送信するためのＦＡＸモデム３３（又はＳＭＴＰ部）と、を備える。また、複合機９０は、ファイル書込部３７と、ファイル読込部３８と、を備える。ファイル書込部３７は、ＦＡＸモデム３３によって前記画像データを送信する際に、設定された送信条件のＣＳＶファイルをＵＳＢメモリ５１に記憶させ、更に、画像データを格納した画像格納ファイルをＵＳＢメモリ５１に記憶させる（図２のＳ１０１〜Ｓ１０８）。そして、複合機９０は、ＵＳＢメモリ５１に記憶されたＣＳＶファイル及び画像格納ファイルをファイル読込部３８で読み込み、画像格納ファイルから取り出した画像データを、ＣＳＶファイルに記述された送信条件に従ってＦＡＸモデム３３により送信できるように構成されている（図３のＳ１２５、図４のＳ１３０、Ｓ１３３、Ｓ１３４）。
【００７０】
この構成により、ユーザは、送信条件とともに画像データをＵＳＢメモリ５１に容易に記憶させることができる。従って、ファクシミリを送信した複合機９０が近くになくても、送信時に接続されていたＵＳＢメモリ５１を例えば前記パーソナルコンピュータ６０に接続することで、送信条件と送信画像を確認することができる。また、ファクシミリを送信した複合機９０でなくても、ＵＳＢメモリ５１を別の複合機に接続すれば、前回と同一の同一の送信条件でファクシミリを簡単に再送信することができる。
【００７１】
また、本実施形態の複合機９０は、前記画像格納ファイルから取り出した画像データに加えて、追加画像データも前記送信条件に従って前記ＦＡＸモデム３３により送信できるように構成されている（Ｓ１３１〜Ｓ１３４）。
【００７２】
この構成により、ファクシミリ再送信の際に、新たに画像データを追加して再送信することができる。また、追加画像データにも同様の送信条件が適用されるので、送信条件の設定の手間が省けて効率的である。
【００７３】
また本実施形態の複合機９０は、以下のように構成される。即ち、この複合機９０は、前記送信条件を設定するための操作部２４を備える。そして、複合機９０は、前記ファイル読込部３８によって読み込まれた送信条件を前記操作部２４によって変更可能に構成されている（図３のＳ１２６〜Ｓ１２９）。更に、前記ＦＡＸモデム３３は、この変更後の送信条件に従って前記画像データを出力可能に構成されている。
【００７４】
この構成により、送信条件を柔軟に変更して画像データをファクシミリ再送信することができる。また、ＵＳＢメモリ５１に記憶された送信条件から出発して、それを修正する形で送信条件を設定できるので、ゼロから設定するよりも効率的である。
【００７５】
また本実施形態の複合機９０は、変更した前記送信条件をＵＳＢメモリ５１に記憶可能に構成されている（図４のＳ１３７）。
【００７６】
この構成により、変更した送信条件を他の複合機９０で読み出し、同一の条件で画像データを再び容易に再送信することができる。
【００７７】
また、本実施形態の複合機９０をファクシミリ装置として使用する場合、前記ＦＡＸモデム３３が出力部として機能し、所定の送信条件で画像データを送信するように構成されている。そして、複合機９０は、前記画像データを前記ＦＡＸモデム３３がファクシミリ送信するとともに、前記画像データと、前記送信条件と、をＵＳＢメモリ５１に記憶可能に構成されている。
【００７８】
この構成により、ファクシミリ送信する際に、ＵＳＢメモリ５１に送信条件と画像データを記憶することができる。これによって、ファクシミリ送信原稿のバックアップ画像を容易に得ることができる。また、持ち運び可能なＵＳＢメモリ５１を使用することにより、実際に送信したファクシミリ装置がない場所でも送信画像及び送信条件を確認することができる。
【００７９】
次に図５のフローチャートを参照して、原稿をコピーする際に画像がＵＳＢメモリ５１に保存される制御についてについて説明する。
【００８０】
ＵＳＢメモリ５１への画像保存を伴うコピーを希望するユーザは、複合機９０をコピーモードとして、コピー条件を操作部２４から入力する（Ｓ２０１）。コピー条件としては、例えば画質設定、用紙サイズ、用紙の向き、倍率、ｎページコピー等が考えられる。次に、ユーザは、ＵＳＢメモリ５１に記憶させる画像格納ファイルのファイル形式を、ＴＩＦＦ形式、ＰＤＦ形式、ＪＰＥＧ形式の中から選択する（Ｓ２０２）。
【００８１】
選択が完了すると、原稿が画像読取部２１によって読み取られ、Ｓ２０１で設定されたコピー条件に従ってプリントデータが作成され、このプリントデータが画像形成部２２によって用紙にプリントされる。これにより、原稿のコピーが実現される（Ｓ２０３）。
【００８２】
次に、複合機９０は、ＵＳＢメモリ５１にディレクトリを作成する（Ｓ２０４）。作成されるディレクトリ（コピー履歴ディレクトリ）の名前は、例えば、コピーとコピー日時から構成される「コピー××年×月×日××時××分××秒」のような名前とする。更に、複合機９０は、読み取られた画像データを格納した画像格納ファイルを作成し、ＵＳＢメモリ５１の前記ディレクトリに保存する（Ｓ２０５）。また、Ｓ２０１で設定されたコピー条件を記述したＣＳＶファイルを作成し、前記ディレクトリに保存する（Ｓ２０６）。
【００８３】
次に、コピー原稿の再プリント（再コピー）について、図６及び図７のフローチャートを参照して説明する。ユーザが複合機９０にＵＳＢメモリ５１を接続して再プリントを指示すると、複合機９０はＵＳＢメモリ５１の接続の有無を調べ、更に、当該ＵＳＢメモリを対象として前記コピー履歴ディレクトリを検索する（図６のＳ２２１、Ｓ２２２）。
【００８４】
コピー履歴ディレクトリが見つかった場合、複合機９０はディスプレイ２３にコピー履歴の一覧を表示する（Ｓ２２３）。ユーザは、操作部２４を適宜操作して、再コピーを希望するコピー履歴（画像データ）を一覧から選択する（Ｓ２２４）。すると、複合機９０は、選択した画像データに対応するＣＳＶファイルを読み込み、コピー条件を取得する（Ｓ２２５）。
【００８５】
複合機９０は、以前にコピーを行ったときのコピー条件から変更するか否かをユーザに問い合わせる（Ｓ２２６）。変更する旨をユーザが指示した場合は、前記ＣＳＶファイルから取得したコピー条件をディスプレイ２３に表示し、ユーザは当該コピー条件について必要な部分を修正する。複合機９０は、変更されたコピー条件を記憶する（Ｓ２２７）。
【００８６】
次に、複合機９０は、画像格納ファイルをＵＳＢメモリ５１から読み込んで、画像データを取り出す（図７のＳ２２９）。そして、この画像データに基づいて、ＣＳＶファイルで得られたコピー条件（条件が変更されている場合は、変更後のコピー条件）に従って、プリントデータを作成する（Ｓ２３０）。その後、当該プリントデータを画像形成部２２により用紙にプリントする（Ｓ２３１）。これにより、再コピーが行われる。最後に、コピー条件の変更（Ｓ２２７）が行われていた場合は、変更後のコピー条件を記述したＣＳＶファイルを、古いＣＳＶファイルに上書きする形でＵＳＢメモリ５１に記憶する（Ｓ２３２、Ｓ２３３）。
【００８７】
以上に示すように、本実施形態の複合機９０をコピー装置として使用する場合、前記画像形成部２２が出力部として機能し、所定のコピー条件で原稿のコピーが可能に構成されている。そして、複合機９０は、コピー原稿の画像データを画像形成部２２がプリントするとともに、前記画像データと、前記プリント条件と、をＵＳＢメモリ５１に記憶可能に構成されている。
【００８８】
この構成により、コピーを行う際に、ＵＳＢメモリ５１にコピー条件と画像データを記憶することができる。これによって、コピーの際のバックアップを容易に行うことができる。また、持ち運び可能なＵＳＢメモリ５１を使用することにより、実際にコピーを行った複合機がない場所でも、コピー原稿の画像及びコピー条件を確認することができる。
【００８９】
以上に本発明の好適な実施形態を説明したが、上記の構成は更に以下のように変更することができる。
【００９０】
上記実施形態は、複合機９０の備える操作部２４を操作することでファクシミリの再送信及び再コピー等を行う構成であるが、この構成に代えて、例えばパーソナルコンピュータ６０からネットワーク４５を介してリモート操作することもできる。この場合、パーソナルコンピュータ６０上で送信条件、及びプリント条件等の出力条件を設定して、この出力条件を複合機９０に接続されたＵＳＢメモリ５１に記憶させる。
【００９１】
上記実施形態では、画像格納ファイルを配置するディレクトリ名が「送信××年×月×日××時××分××秒」及び「コピー××年×月×日××時××分××秒」と設定されている。しかしながら、この構成に代えて、例えば送信日時及びプリント日時を数字だけで表した名前とすることができる。また、適宜のシリアル番号を用いてディレクトリ名を定める等、ディレクトリ名の決定方法は適宜変更することができる。
【００９２】
上記実施形態ではファクシミリモードとコピー処理が別々に行われているが、この構成に代えて、ファクシミリとコピーを同時に行って、その送信条件とプリント条件をＵＳＢメモリ５１に記憶する構成とすることもできる。
【００９３】
また上記実施形態では、外部記憶媒体としてＵＳＢメモリ５１を用いているが、ＵＳＢメモリ５１に限定することなくメモリカード及びＭＯ等、外部記憶媒体を変更することができる。
【００９４】
上記実施形態では、送信条件及びコピー条件が変更された場合、古いＣＳＶファイルに新しいＣＳＶファイルを上書きする形で書き換えている（図４のＳ１３７、図７のＳ２３３）。しかしながら、この構成に代えて、別々にファイル名を付け、又は新たにディレクトリを作成する等して、新しいＣＳＶファイルと古いＣＳＶファイルを両方保存する構成に変更することができる。ファクシミリ送信原稿の追加の場合（図４のＳ１３９）も同様に、古い画像格納ファイルと新しい画像格納ファイルを両方保存する構成に変更することができる。
【００９５】
ＵＳＢメモリ５１に画像格納ファイルが保存されているだけで出力条件のＣＳＶファイルが保存されていない場合も考えられる。この場合、複合機９０はユーザに出力条件を問い合わせて、入力された出力条件でＵＳＢメモリ５１に記憶されている画像データをファクシミリ送信又はプリントするように構成することができる。
【００９６】
また上記実施形態では、操作を操作部２４のテンキー等によって行っているが、この構成に代えて前記ディスプレイ２３をタッチパネル方式に構成し、このタッチパネルにより操作する構成に変更することができる。
【図面の簡単な説明】
【００９７】
【図１】本発明の一実施形態に係るコピーファクシミリ複合機の構成を示すブロック図。
【図２】本実施形態の複合機においてファクシミリ送信する際に外部記憶媒体に送信画像と送信条件を記憶する様子を示すフローチャート。
【図３】ファクシミリ再送信処理の前半部を示すフローチャート。
【図４】ファクシミリ再送信処理の後半部を示すフローチャート。
【図５】本実施形態の複合機においてコピーを行う際に外部記憶媒体にコピー原稿の画像とコピー条件を記憶する様子を示すフローチャート。
【図６】再コピー処理の前半部を示すフローチャート。
【図７】再コピー処理の後半部を示すフローチャート。
【符号の説明】
【００９８】
２１  画像読取部
２２  画像形成部（出力部）
２３  ディスプレイ
２４  操作部
２５  画像記憶部
２６  画像管理部
３３  ＦＡＸモデム（出力部）
３４  ファクシミリ制御部
３７  ファイル書込部（書込部）
３８  ファイル読込部（読込部）
４０  ネットワークアダプタ
５０  ＵＳＢインターフェース
５１  ＵＳＢメモリ（外部記憶媒体）
５２  ＵＳＢコネクタ（装着部）
９０  コピーファクシミリ複合機（画像処理装置）
【図１】
2009060234.tif 000003
【図２】
2009060234.tif 000004
【図３】
2009060234.tif 000005
【図４】
2009060234.tif 000006
【図５】
2009060234.tif 000007
【図６】
2009060234.tif 000008
【図７】
2009060234.tif 000009